(57)【要約】      （修正有）【課題】マークの付された包帯を伸長させたとき、そのマークの形状が施術者などによって視認されやすい包帯を提供する。【解決手段】少なくとも長手方向に伸長する包帯であって、包帯１０の少なくとも一方の面に、長手方向と略平行な第１の辺１２と、第１の辺と略直交し第１の辺よりも長い第２の辺１３と、第１の辺と第２の辺とを結ぶ第３の辺１４と、から構成された三角形１１からなるマークを有する。【選択図】図１
0003189941.tif 000002
【実用新案登録請求の範囲】
【請求項１】
少なくとも長手方向に伸長する包帯であって、
該包帯の少なくとも一方の面に、前記長手方向と略平行な第１の辺と、該第１の辺と略直交し該第１の辺よりも長い第２の辺と、前記第１の辺と前記第２の辺とを結ぶ第３の辺と、から構成された三角形を有する包帯。
【請求項２】
前記包帯の前記長手方向に加えられた張力が０．２３〜０．７５Ｎ／ｃｍのとき、前記包帯の伸長率が６０〜９０％である請求項１に記載の包帯。
【請求項３】
前記第１の辺および前記第２の辺が、前記第３の辺よりも太く形成された請求項１または２に記載の包帯。
【請求項４】
前記包帯が前記長手方向に伸長され、前記第１の辺の長さと前記第２の辺の長さとが略等しい状態において、前記第１の辺の太さと、前記第２の辺の太さとが略等しくなる請求項１ないし３のいずれか１項に記載の包帯。
【請求項５】
前記第１の辺および前記第２の辺が、略同じ色で形成され、前記第３の辺とは異なる色で形成された請求項１ないし４のいずれか１項に記載の包帯。
【請求項６】
前記第１の辺および前記第２の辺の色彩、線形状、太さの少なくとも１つが、前記第３の辺とは異なるように形成された請求項１ないし５のいずれか１項に記載の包帯。
【請求項７】
少なくとも長手方向に伸長する包帯であって、
該包帯の少なくとも一方の面に、前記長手方向と略平行な第１の線分と、該第１の線分の端部から延び、該第１の線分と略直交し、該第１の線分より長い第２の線分と、を有する包帯。
【請求項８】
前記包帯の前記長手方向に加えられた張力が０．２３〜０．７５Ｎ／ｃｍのとき、前記包帯の伸長率が６０〜９０％である請求項７に記載の包帯。
【請求項９】
下腿潰瘍・リンパ浮腫の予防・治療用に使用される請求項１ないし８のいずれか１項に記載の包帯。
【考案の詳細な説明】
【技術分野】
【０００１】  本考案の実施形態は包帯に関する。より詳細には、本考案の実施形態は、下腿潰瘍やリンパ浮腫の予防・治療において使用される圧迫療法用の包帯に関する。
【背景技術】
【０００２】  下腿潰瘍・リンパ浮腫などの圧迫療法には、弾性包帯を使用した治療法、弾性ストッキング・スリーブを使用した治療法、間欠的空気圧迫法などがある。弾性包帯を使用した治療法では、直接的な圧迫により、うっ滞を軽減させるとともに、運動時に筋ポンプ作用を増強させることで静脈・リンパ還流を促進させる。【０００３】  圧迫療法で使用される包帯は、伸縮性（弾力性）を有しており、当該包帯を伸長させて例えば下肢に巻回することにより、適切な圧迫圧で患部を圧迫する。包帯により下肢に加えられる圧迫圧は、当該包帯の張力（包帯を長手方向へ引っ張る力）と、対象となる下肢の曲率半径とに関連している。【０００４】  従来の包帯においては、伸長可能な布と、伸長標識とを備え、伸長標識が伸長可能な布にからみ合わされている物品が提案されている（特許文献１参照）。その伸長標識は、所望の張力度があらかじめ決められている伸長した物品における張力を評価するものとして設けられている。
【先行技術文献】
【特許文献】
【０００５】
【特許文献１】  特表平１１−５０９５８３号公報
【考案の概要】
【考案が解決しようとする課題】
【０００６】  包帯を伸長させて例えば下肢に巻回し、患部に過度の圧迫圧を加えた場合、静脈やリンパ管の閉塞、毛細血管漏洩、リンパ液の移動の妨げなどが生じて症状がかえって悪化する可能性があるため、適切な圧迫圧をもって圧迫することが必要となる。上記のような標識（マーク）の付された包帯を使用したとしても、そのマークの形状が包帯を巻く施術者などによって適切に視認されなければ、過度の圧迫圧を加えてしまうおそれがある。また、マークの形状が施術者などによって適切に視認されなければ、適切な圧迫圧に達していない場合があり、圧迫療法の効果が低減してしまうおそれがある。【０００７】  本考案の実施形態は、上記課題に鑑みて、マークの付された包帯を伸長させたとき、そのマークの形状が施術者などによって視認されやすい包帯を提供することを目的とする。
【課題を解決するための手段】
【０００８】  本考案の実施形態に係る包帯は、少なくとも長手方向に伸長する包帯であって、該包帯の少なくとも一方の面に、前記長手方向と略平行な第１の辺と、該第１の辺と略直交し該第１の辺よりも長い第２の辺と、前記第１の辺と前記第２の辺とを結ぶ第３の辺と、から構成された三角形を有する。【０００９】  本明細書において、包帯の長手方向とは、略帯状に連続する包帯の長尺方向をいい、包帯の短手方向とは、長手方向と直交する方向をいう。
【考案の効果】
【００１０】  実施形態に係る包帯によれば、当該包帯に付されたマークの形状が施術者などによって視認されやすくなり、したがって、直感的に適切な圧迫を施すことが可能となる。
【図面の簡単な説明】
【００１１】
【図１】本考案の第１の実施形態に係る包帯を示す上面図で、（ａ）は伸長前の包帯、（ｂ）は伸長時の包帯を示す図である。
【図２】同包帯の長手方向に加えられた張力と伸長率との関係を示す図である。
【図３】本考案の第２の実施形態に係る包帯を示す上面図である。
【考案を実施するための形態】
【００１２】  以下、本考案の実施形態について図面を参照しながら説明する。
後述する諸実施形態に係る包帯は、周径２１ｃｍの足首の周りに巻回させて、所定の圧迫圧（例えば約３０ｍｍＨｇ）が足首に加えられ、所定の張力（例えば約０．６７Ｎ／ｃｍ）が長手方向に対して包帯に加えられた際に、包帯に付されたマークが所定の形状（直角二等辺三角形など）になるよう設計されたものである。また、本包帯は、例えば下肢に重ね巻き（ハーフラップ巻き）された際に、包帯に付されたマークすべてが所定の形状（直角二等辺三角形など）になるようにして、足首部から大腿部へと段階的に圧迫圧が弱くなるように設計されたものである。
【００１３】  （第１の実施形態）
図１は本考案の第１の実施形態に係る包帯１０を示しており、（ａ）は伸長前の包帯、（ｂ）は伸長時の包帯を示している。包帯１０は、長手方向と短手方向の二方向に形成された包帯布を備えている。本実施形態に係る包帯１０（包帯布）は、長手方向には伸長するが、短手方向にはほとんど伸長しないものであるが、本考案は上記に限定されず、短手方向にも伸長するものであってもよい。
【００１４】  包帯１０は織物によって形成するのが好ましい。編物では全体的に伸縮性が高く嵩高であるためである。織物は、各種の天然繊維、化学繊維の単体の糸、これらの繊維の適宜の混紡糸などによって形成し、好ましくは、綿、レーヨン、ナイロン、ポリエステル、アクリルなどの単体糸やこれらの混紡糸にするとよい。さらに、吸湿性が高くて肌触りの良好な綿、適当な腰があって安定性に優れており他の繊維との馴染みがよいポリエステル、軽くて柔らかく染色しやすいアクリルなどを単体で、またはこれらを適当に組み合わせた混紡糸は良好に使用することができる。
【００１５】  図２は、包帯１０の長手方向に加えられた張力と、包帯１０の伸長率との関係を示す図である。本伸長率は、「ＪＩＳ  Ｌ  １０９６  織物及び編物の生地試験方法」に基づいて求めたものであり、張力を加える前の包帯の長さをＬ０［ｃｍ］、張力を加えたときの包帯の長さをＬ１［ｃｍ］とすると、｛（Ｌ１−Ｌ０）／Ｌ０｝×１００［％］により定義される。図２に示されるように、包帯１０に加えられた張力が０．２３〜０．７５Ｎ／ｃｍのとき、包帯１０の伸長率が６０〜９０％となっている。本実施形態では、伸長率が８４％のときに足首に対する圧迫圧が約３０ｍｍＨｇとなり、後述する第１の辺の長さが、第２の辺の長さに略等しくなるよう設定されているが、疾患の種類などに応じて、この設定は適宜変更可能である。
【００１６】  包帯１０には、その表、裏の少なくとも一方の面に、長手方向において適宜間隔があけられ、短手方向において中央に位置した直角三角形（マーク）１１が複数設けられている。直角三角形１１は、長手方向と略平行な第１の辺１２と、第１の辺１２と略直交する短手方向と略平行な第２の辺１３と、第１の辺１２と第２の辺１３とを結ぶ第３の辺１４と、から構成され、第１の辺１２は第２の辺１３よりも短い。なお、本発明において、直角三角形とは、略直角三角形状のものも含む。すなわち、第１の辺１２は、長手方向と厳密に平行である必要はなく、長手方向と略平行であればよい。同様に、第２の辺１３は、第１の辺１２と略直交し、短手方向と略平行であればよい。
【００１７】  第１の辺１２および第２の辺１３は、第３の辺１４よりも太く形成されている。このように、第１の辺１２および第２の辺１３を第３の辺１４よりも太くして目立たせることにより、包帯を巻く施術者などは、圧迫圧が適切になったことを、第１の辺１２および第２の辺１３に基づいて、より直感的に把握することができる。なお、包帯１０が伸長していない状態では、第１の辺１２は第２の辺１３よりも太い一方、包帯１０が長手方向に伸長され、第１の辺１２の長さと第２の辺１３の長さとが略等しい状態において（包帯１０が足首に適切な圧迫圧を加えている状態において）、第１の辺１２の太さと第２の辺１３の太さとが略等しくなるように、第１の辺１２および第２の辺１３の太さを調整することが好ましい（図１（ａ）、（ｂ）参照）。
【００１８】  直角三角形１１は、包帯１０の表、裏の少なくとも一方の面に、印字、染色、糸の縫い付け、またはその他の適切な方法で、消去できないように形成されている。
【００１９】  直角三角形１１には、短手方向の略中央部分において、すなわち、第２の辺１３と第３の辺１４の略中央部分において、切れ目１５，１６がそれぞれ設けられている。これらの切れ目１５，１６は、包帯１０を例えば下肢に重ね巻き（ハーフラップ巻き）する際に、包帯１０を重ね合わせる目印として設けられたものである。
【００２０】  直角三角形１１は、包帯１０が長手方向に伸長されて、第１の辺１２と第２の辺１３の長さが略等しくなったときに、足首に対する圧迫圧が適切な所定の値（本実施形態では約３０ｍｍＨｇ）、すなわち、包帯１０に加えられた長手方向の張力が適切な所定の値（本実施形態では約０．６７Ｎ／ｃｍ）になったことを示すインジケータの役割を有している。
【００２１】  本実施形態において、包帯１０の短手方向の長さは約１００ｍｍ、第１の辺１２の長さは約１８．２ｍｍ、第２の辺１３の長さは約３３．４ｍｍ、切れ目１５，１６の長さは約２ｍｍ、第１の辺１２の太さは約３ｍｍ、第２の辺１３の太さは約１．６ｍｍ、第３の辺１４の太さは約１ｍｍ、第１〜第３の辺１２〜１４の色は黒色である。また、直角三角形１１の間隔は約７５ｍｍである。なお、直角三角形１１の間隔は、非伸長状態において６０ｍｍ〜９０ｍｍ（包帯１０が長手方向に伸長され、第１の辺１２の長さと第２の辺１３の長さとが略等しい状態において、１００ｍｍ〜１６０ｍｍ）であることが好ましい。
【００２２】  （第２の実施形態）
図３は本考案の第２の実施形態に係る包帯２０を示している。包帯２０は、長手方向と短手方向の二方向に形成された包帯布を備えている。本実施形態に係る包帯２０（包帯布）は、長手方向には伸長するが、短手方向にはほとんど伸長しないものであるが、本考案は上記に限定されず、短手方向にも伸長するものであってもよい。
【００２３】  包帯２０は織物によって形成するのが好ましい。編物では全体的に伸縮性が高く嵩高であるためである。織物は、各種の天然繊維、化学繊維の単体の糸、これらの繊維の適宜の混紡糸などによって形成し、好ましくは、綿、レーヨン、ナイロン、ポリエステル、アクリルなどの単体糸やこれらの混紡糸にするとよい。さらに、吸湿性が高くて肌触りの良好な綿、適当な腰があって安定性に優れており他の繊維との馴染みがよいポリエステル、軽くて柔らかく染色しやすいアクリルなどを単体で、またはこれらを適当に組み合わせた混紡糸は良好に使用することができる。
【００２４】  包帯２０の長手方向に加えられた張力と、包帯２０の伸長率との関係については、第１の実施形態と同一であるので、ここでは省略する。
【００２５】  包帯２０には、その表、裏の少なくとも一方の面に、長手方向において適宜間隔があけられ、短手方向において中央に位置した２本の線分（マーク）２１，２２が複数設けられている。長手方向と略平行な第１の線分２１と、第１の線分２１と略直交する、短手方向と略平行な第２の線分２２とは、端部を共にしており、第１の線分２１は第２の線分２２よりも短い。
【００２６】  包帯２０が伸長していない状態では、第１の線分２１は、第２の線分２２よりも太い。一方、第１の線分２１の長さと第２の線分２２の長さとが略等しい状態において（包帯２０が足首に適切な圧迫圧を加えている状態において）、第１の線分２１の太さと第２の線分２２の太さとは略等しい。なお、本実施形態では、包帯２０が伸長していない状態において、第１の線分２１が第２の線分２２よりも太く形成されているが、第１の線分２１および第２の線分２２は、略等しい太さで形成されてもよい。
【００２７】  第１の線分２１および第２の線分２２は、包帯２０の表、裏の少なくとも一方の面に、印字、染色、糸の縫い付け、またはその他の適切な方法で、消去できないように形成されている。
【００２８】  第１の線分２１と第２の線分２２は、包帯２０が長手方向に伸長されて、それらの長さが略等しくなったときに、足首に対する圧迫圧が適切な所定の値（本実施形態では約３０ｍｍＨｇ）、すなわち、包帯２０に加えられた長手方向の張力が適切な所定の値（本実施形態では約０．６７Ｎ／ｃｍ）になったことを示すインジケータの役割を有している。
【００２９】  本実施形態において、包帯２０の短手方向の長さは約１００ｍｍ、第１の線分２１の長さは約１８．２ｍｍ、第２の線分２２の長さは約３３．４ｍｍ、第１の線分２１の太さは約３ｍｍ、第２の線分２２の太さは約１．６ｍｍ、第１，第２の線分２１，２２の色は黒色である。また、第１，第２の線分２１，２２の間隔は約７５ｍｍである。なお、第１，第２の線分２１，２２の間隔は、非伸長状態において６０ｍｍ〜９０ｍｍ（包帯２０が長手方向に伸長され、第１の線分２１の長さと第２の線分２２の長さとが略等しい状態において、１００ｍｍ〜１６０ｍｍ）であることが好ましい。
【００３０】  （官能試験）
８人の評価者を対象に、マークの形状として、直角三角形、長さの異なる２つの矢印、楕円、および長方形が付された包帯（第１または第２の実施形態に係る包帯布を備えたもの）を用い、包帯の巻回時におけるマークの視認のしやすさについて官能試験を行った。これらのマークはいずれも、短手方向の長さを約３３．４ｍｍ、長手方向の長さを約１９．３ｍｍ、太さを約１ｍｍ、色を黒色とした。官能試験に関しては、各評価者に、上記４種類のマークが付された包帯を円筒（直径：約９０ｍｍ、長さ：約３７０ｍｍ）にハーフラップ巻きで巻いてもらい、４種類のマークがそれぞれ、直角二等辺三角形、等しい長さの矢印、円、および正方形になったと感じた際のそれら形状の視認のしやすさについて、視認のしやすい方から順に４点、３点、２点、１点と点数をつけてもらった。また、併せて、４種類のマークがそれぞれ、直角二等辺三角形、等しい長さの矢印、円、および正方形になったと評価者が感じた際の、（マークの長手方向の長さ−短手方向の長さ）を測定し、各マークについて、測定した値の平均値を算出した。
【００３１】  その結果、視認のしやすさについて、合計点は、直角三角形が２５点、２つの矢印が２５点、楕円が１７点、長方形が１３点となり、直角三角形および２つの矢印が付された包帯の評価が高いことが分かった。また、巻回時の長手方向の長さと短手方向の長さの差の平均値については、直角三角形が−１．６ｍｍ、２つの矢印が−２．１ｍｍ、楕円が−２．５ｍｍ、長方形が−３．１ｍｍとなった。以上より、直角三角形および２つの矢印が付された包帯が、他の２つの包帯に比べて、感覚的に巻きやすく、かつ正しく巻けていることが分かった。
【００３２】  （他の実施形態）
上記第１の実施形態では、第１の辺１２および第２の辺１３が、第３の辺１４よりも太く形成されているが、それに加えて、他の実施形態では、第１の辺および第２の辺が、略同じ色で形成され、第３の辺とは異なる色で形成される（例えば、第１の辺および第２の辺は赤色で形成され、第３の辺は黒色で形成される）。なお、包帯が伸長していない状態において、第１の辺および第２の辺は、第３の辺と略等しい太さで形成されてもよい。
【００３３】  また、第１の実施形態１および第２の実施形態では、第１の辺１２〜第３の辺１４、ならびに第１の線分２１および第２の線分２２が、実線の直線で形成されているが、他の実施形態では、これらの辺および線分が、点線で形成されてもよいし、波状に形成されてもよい。
【００３４】  また、包帯を巻く施術者などがマークを視認しやすいように、第１の実施形態に係る包帯における第１の辺１２および第２の辺１３の色彩、線形状、太さの少なくとも１つが、第３の辺１４と異なるように形成されてもよい。
【符号の説明】
【００３５】１０、２０  ：  包帯
１１        ：  直角三角形
１２        ：  第１の辺
１３        ：  第２の辺
１４        ：  第３の辺
２１        ：  第１の線分
２２        ：  第２の線分
【図１】
0003189941.tif 000003
【図２】
0003189941.tif 000004
【図３】
0003189941.tif 000005
【手続補正書】
【提出日】平成26年1月17日(2014.1.17)
【手続補正１】
【補正対象書類名】明細書
【補正対象項目名】０００８
【補正方法】変更
【補正の内容】
【０００８】  本考案の実施形態に係る包帯は、少なくとも長手方向に伸長する包帯であって、該包帯の少なくとも一方の面に、前記長手方向と略平行な第１の辺と、該第１の辺と略直交し該第１の辺よりも長い第２の辺と、前記第１の辺と前記第２の辺とを結ぶ第３の辺と、から構成された三角形からなるマークを有する。
【手続補正２】
【補正対象書類名】実用新案登録請求の範囲
【補正対象項目名】請求項１
【補正方法】変更
【補正の内容】
【請求項１】
少なくとも長手方向に伸長する包帯であって、
該包帯の少なくとも一方の面に、前記長手方向と略平行な第１の辺と、該第１の辺と略直交し該第１の辺よりも長い第２の辺と、前記第１の辺と前記第２の辺とを結ぶ第３の辺と、から構成された三角形からなるマークを有する包帯。
【手続補正３】
【補正対象書類名】実用新案登録請求の範囲
【補正対象項目名】請求項７
【補正方法】変更
【補正の内容】
【請求項７】
少なくとも長手方向に伸長する包帯であって、
該包帯の少なくとも一方の面に、前記長手方向と略平行な第１の線分と、該第１の線分の端部から延び、該第１の線分と略直交し、該第１の線分より長い第２の線分と、からなるマークを有する包帯。